(57)【要約】  【課題】  容易に脱着が可能であると共に、振動等によっては簡単に外れることのないストレーナの取付構造を提供する。  【解決手段】  排水構造は、基板処理装置のポリッシャーパンの排水口の縁部に突設された３つの凸部１２と、ポリッシャーパンから異物が排出することを防止するストレーナとを備え、ストレーナは、３つの凸部１２に同時に当接すると共に３つの凸部１２を内嵌めする枠１４を有する。【選択図】  図５
2015122465.tif 000002
【特許請求の範囲】
【請求項１】
基板処理装置のポリッシャーパンの排水口の縁部に突設された複数の凸部と、
前記ポリッシャーパンから異物が排出することを防止するストレーナと、
を備え、
前記ストレーナは、前記複数の凸部を内嵌めする枠を有する排水構造。
【請求項２】
前記ストレーナの枠の内周は円形ではなく、
前記ストレーナの上部は、基板処理装置の部品との干渉を回避するための段差を有する請求項１に記載の排水構造。
【請求項３】
前記凸部の先端が丸くなっている請求項１または２に記載の排水構造。
【請求項４】
前記凸部は、３個である請求項１乃至３のいずれかに記載の排水構造。
【請求項５】
前記ポリッシャーパンの下部に円筒状の排水部材を備え、前記排水部材の上部が前記ポリッシャーパンの底面に接続されて排水口を形成する請求項１乃至４のいずれかに記載の排水構造。
【請求項６】
請求項１乃至５のいずれかに記載の排水構造を備えた基板処理装置。
【発明の詳細な説明】
【技術分野】
【０００１】
本発明は、基板処理装置のポリッシャーパンに用いられる排水構造に関する。
【背景技術】
【０００２】
化学機械研磨装置などの基板処理装置は、研磨カスや砥液を洗浄した洗浄液を受けるポリッシャーパンを有している（特許文献１）。そして、ポリッシャーパンの排水口には、外部に異物が排出されるのを防止するためのストレーナが取り付けられている。
【先行技術文献】
【特許文献】
【０００３】
【特許文献１】特開２００８−６６７５５号公報
【発明の概要】
【発明が解決しようとする課題】
【０００４】
従来、ストレーナは、排水口に対して比較的ゆるく取り付けられていたため、装置を移動する際の振動等によって外れてしまう場合があった。基板処理装置のポリッシャーパンの排水口は、各種の部品が入り組んだ狭い場所にあり、ストレーナの取り付け作業を行いにくい場所にある。したがって、いったん取り付けたストレーナは、振動等によって簡単に外れないことが求められる。
【０００５】
また、ストレーナに異物が詰まったような場合には、ストレーナを外す必要があるので、その場合には、容易に外れることが望まれる。
【０００６】
本発明は、上記背景に鑑み、容易に脱着が可能であると共に、振動等によっては簡単に外れることのないストレーナの取付構造および基板処理装置を提供することを目的とする。
【課題を解決するための手段】
【０００７】
本発明の排水構造は、基板処理装置のポリッシャーパンの排水口の縁部に突設された複数の凸部と、前記ポリッシャーパンから異物が排出することを防止するストレーナとを備え、前記ストレーナは、前記複数の凸部を内嵌めする枠を有する。前記凸部は３個であってもよい。
【０００８】
このようにストレーナの枠が排水口に設けられた複数の凸部を内嵌めすることにより、基板処理装置を移動した際の振動によってストレーナが外れることを防止できる。また、ストレーナを押し込むことで取り付けることができる構造なので、ストレーナの取付けおよび取外しを容易に行える。
【０００９】
本発明の排水構造において、前記ストレーナの枠の内周は円形ではなく、前記ストレーナの上部は、基板処理装置の部品との干渉を回避するための段差を有してもよい。
【００１０】
上述したとおり、ストレーナを取り付ける箇所は各種の部品が入り組んだ狭い場所であるが、ストレーナの上部に段差を設けることにより、他の部品との干渉を避けることができる。また、上部がストレーナの枠の内周を円形以外の形状とすることにより、ストレーナの取付けの方向を規定することができ、段差によって部品との干渉を避ける向きで、取り付けることが容易である。
【００１１】
本発明の排水構造において、前記凸部の先端が丸くなっていてもよい。この構成により、ストレーナを容易に内嵌めすることができる。
【００１２】
本発明の排水構造は、前記ポリッシャーパンの下部に円筒状の排水部材を備え、前記排水部材の上部が前記ポリッシャーパンの底面に接続されて排水口を形成してもよい。このように排水部材を設けることにより、ポリッシャーパンからの排水を所定の場所へ案内できる。
【００１３】
本発明の基板処理装置は、上記排水構造を備えた構成を有する。この構成により、基板処理装置の移動時の振動によってストレーナが外れることを防止できる。
【発明の効果】
【００１４】
本発明は、基板処理装置を移動した際の振動によってストレーナが外れることを防止できると共に、ストレーナの取付けおよび取外しを容易に行えるという効果を有する。
【図面の簡単な説明】
【００１５】
【図１】ポリッシャーパンの構成を示す断面図である。
【図２】ポリッシャーパンの排出部材の構成を示す図である。
【図３】ストレーナの外観を示す斜視図である。
【図４】ストレーナの構成を示す図である。
【図５】（ａ）ストレーナを下から見た図である。（ｂ）ストレーナに対して凸部が係合する位置を示す図である。
【発明を実施するための形態】
【００１６】
以下、本発明の実施の形態に係る排水構造について、図面を参照しながら説明する。
図１は、本実施の形態の排水構造を有する基板処理装置のポリッシャーパン２０の構成を示す断面図である。図１では、ストレーナを装着していない状態を示している。ポリッシャーパン２０は、研磨カスや砥液を洗浄した洗浄液を受ける。ポリッシャーパン２０の中には、ストレーナ詰まり等で水位が上昇したときにオーバーフローさせる配管口２３等が収納されている。ポリッシャーパン２０の下部には、排水部材１０が接続されている。排水部材１０の上部の開口が排水口Ａを形成している。
【００１７】
図２は、排水部材１０の構成を示す図である。排水部材１０は、円筒状の構造１１を有し、排水口Ａの縁部に沿って、上方（ポリッシャーパン２０の内部）に向かって突設する３つの凸部１２を有している。この３つの凸部１２は、後述するストレーナ１３に嵌め込まれる。凸部１２の先端は角部１２ａが丸くなっており、ストレーナ１３を嵌め込みやすい構成とされている。
【００１８】
図３は、排水口Ａを覆うストレーナ１３の外観を示す斜視図である。ストレーナ１３は、容器を伏せたような形状を有している。すなわち、排水口Ａの縁部を取り囲む枠１４と、その枠１４の上を覆う板状部１６とを有している。なお、本実施の形態においてストレーナ１３は樹脂製であり、枠１４と板状部１６は一体成形されている。
【００１９】
図４は、ストレーナ１３を上面及び側面から見た図である。図４に示すようにストレーナ１３の枠１４の部分には、複数の穴１５が形成されている。また、ストレーナ１３の板状部１６にも複数の穴１７が形成されている。これらの穴１５，１７を通じて、ポリッシャーパン２０内の液体は排水部材１０へと流れていく。また、板状部１６の一部には、切欠きが形成され、段差１８が形成されている。この段差１８は、ポリッシャーパン２０に設けられた配管口２３との干渉を回避するために設けられている。
【００２０】
図５（ａ）は、ストレーナ１３を下面から見た図である。図５（ａ）に示すように、ストレーナ１３の枠１４は、円周の一部と弦を組み合わせた形状を有している。つまり、ストレーナ１３の枠１４は、完全な円の形状ではない。
【００２１】
図５（ｂ）は、ストレーナ１３に対して嵌め込まれる３つの凸部１２の位置を示すである。ストレーナ１３の枠１４は、３つの凸部１２に同時に当接すると共に３つの凸部１２を内嵌めする。図５（ｂ）に示すように、３つの凸部１２のうちの２つがストレーナ１３の枠１４の円周と弦との境界に位置するので、ストレーナ１３は、回転しない態様で固定される。これにより、上述した段差１８の部分が配管口２３との干渉を回避する向きで、ストレーナ１３が固定される。したがって、作業者は、ストレーナ１３を取り付ける際に、ストレーナ１３の取付角度に特別な注意を払わなくても、ストレーナ１３の嵌まる向きを手探りで探すだけで、ストレーナ１３と配管口２３との干渉を回避できる。
【００２２】
ストレーナ１３の枠１４の内周は、３つの凸部１２によって形成される仮想的な円の外周よりも若干小さい。ストレーナ１３を取り付ける際に３つの凸部１２に押し付けると、ストレーナ１３の枠１４が若干開くことによって３つの凸部１２がストレーナ１３の中に押し込まれる。この状態では、ストレーナ１３の枠１４が弾性力によって元の大きさに戻ろうとするため、ストレーナ１３の枠１４と３つの凸部１２との摩擦力によって、排水部材１０に対してストレーナ１３が固定されることになる。
【００２３】
以上、本実施の形態の排水構造について説明した。本実施の形態の排水構造は、ストレーナ１３の枠１４の中に３つの凸部１２を押し込むことにより、排水部材１０に対してストレーナ１３が固定されるので、基板処理装置を移動するとき等に、ストレーナ１３が外れてしまうことがない。
【００２４】
本実施の形態の排水構造は、ストレーナ１３の枠１４の中に３つの凸部１２を押し込むことにより、ストレーナ１３を取り付けることができ、外す際には、ストレーナ１３を引っ張ればよいので、ストレーナ１３の取り外しが容易である。また、本実施の形態では、ストレーナ１３は、枠１４及び板状部１６に穴１５，１７を有しているので、穴１５，１７に棒などを引っかけて引っ張ることにより、ストレーナ１３を容易に取り外すことができる。
【００２５】
本実施の形態の排水構造は、ストレーナ１３を取り付けるためのネジ穴などを開けることなく、ストレーナ１３の枠１４に凸部１２を当接させるという簡単な構造で、ストレーナ１３を排水部材１０の開口部に固定することができる。
【００２６】
本実施の排水構造は、３つの凸部１２によってストレーナ１３を取り付ける構造のため、比較的小さい力で脱着が可能でありながら、ストレーナ１３の固定に必要な摩擦力が得られる。
【００２７】
以上、本発明の実施の形態の排水構造および基板処理装置について、実施の形態を挙げて詳細に説明したが、本発明は上記した実施の形態に限定されるものではない。
【００２８】
本実施の形態では、３つの凸部１２を有する排水部材１０を例としたが、凸部１２の数は３つに限らず、２つ、４つ、またはそれ以上であってもよい。
【００２９】
本実施の形態では、ストレーナ１３の上部に段差１８を持った板状部１６を備える例を挙げて説明したが、ストレーナ１３の取付けスペースに余裕がある場合には、必ずしも段差１８は必要ではない。また、段差を有しない場合には、ストレーナ１３をどの向きに取り付けても構わないので、枠１４の形状は円形でもよい。
【産業上の利用可能性】
【００３０】
本発明は、振動によってストレーナが外れることを防止できると共に、ストレーナの取付けおよび取外しを容易に行えるという効果を有し、基板処理装置のポリッシャーパンの排水口に設けるストレーナ等として有用である。
【符号の説明】
【００３１】
１０  排水部材
１１  円筒状の構造
１２  凸部
１３  ストレーナ
１４  枠
１５  穴
１６  板状部
１７  穴
１８  段差
２０  ポリッシャーパン
２１  穴
２２  穴
２３  配管口
【図１】
2015122465.tif 000003
【図２】
2015122465.tif 000004
【図３】
2015122465.tif 000005
【図４】
2015122465.tif 000006
【図５】
2015122465.tif 000007